(57)【要約】【課題】  本発明は台風や竜巻などの強風や、暴動・泥棒などによる破壊などの外圧からシャッターの損壊や変形を防御し、低コストで既存のシャッターの機能を簡単に強化でき、耐風力・防犯力・操作性・耐久力を備えた中柱固定装置を提供する。【解決手段】  中柱４に沿設された下部固定機構５、上部固定機構６、および中継機構７を備えた中柱固定装置１は、取っ手５ｃの上方への移動を阻止するロック機構５ｄｂを有する第１の上部機構５ｄと、下部金属棒５ａ、５ａの下端に形成された下部突出部５ｂ、５ｂと、係合穴５ｊａを有する嵌合機構５ｊと、上部金属棒６ａ、６ａの上端に設けられた上部突出部６ｂ、６ｂと、上部固定機構６と下部固定機構５との間を中継し、取っ手５ｃを下方に押し下げるときに上部金属棒６ａ、６ａの上方への移動を可能にし、また、取っ手５ｃを上方へ引き上げるときに上部金属棒６ａ、６ａの下方への移動を可能にする中継機構７を備える。【選択図】図２
2019082008.tif 000002
【特許請求の範囲】
【請求項１】
複数のスラット（２）を上下に連結して形成されたシャッター面（３）を少なくとも左右２面備え、前記左右２面のシャッター面（３、３）間に地面に対して垂直に設けられた中柱（４）の内側面（４ａ）に沿設された下部固定機構（５）、上部固定機構（６）、および中継機構（７）を備えた中柱固定装置（１）であって、
前記下部固定機構（５）は、前記中柱（４）の内側面（４ａ）に沿設された左右２本の直線状の下部金属棒（５ａ、５ａ）と、この下部金属棒（５ａ、５ａ）の上部（５ａａ、５ａａ）を繋いで形成され、高さ４００〜１０００ｍｍの位置に設けられた取っ手（５ｃ）と、
前記取っ手（５ｃ）の上下方向への移動を摺動可能にガイドすると共に、前記取っ手（５ｃ）の上方への移動を阻止するロック機構（５ｄｂ）を有する第１の上部機構（５ｄ）と、
前記左右２本の下部金属棒（５ａ、５ａ）の下端にそれぞれ形成された下部突出部（５ｂ、５ｂ）と、
前記下部突出部（５ｂ、５ｂ）を挿入可能に形成された係合穴（５ｊａ）を有する嵌合機構（５ｊ）と、
さらに、前記下部突出部（５ｂ、５ｂ）の上下方向への移動を摺動可能にガイドする第１の下部機構（５ｅ）と、を備え、
前記上部固定機構（６）は、前記中柱（４）の内側面（４ａ）に沿設された左右２本の直線状の上部金属棒（６ａ、６ａ）と、この上部金属棒（６ａ、６ａ）の上端に設けられた上部突出部（６ｂ、６ｂ）と、
前記上部突出部（６ｂ）の上下方向への移動を摺動可能にガイドする第２の上部機構（６ｅ）と、
前記上部突出部（６ｂ、６ｂ）を挿入可能に形成された係合穴（６ｊａ）を有する嵌合機構（６ｊ）と、を備え、
さらに、前記上部固定機構（６）の下端（６ａｂ、６ａｂ）と前記下部固定機構（５）の上端（５ａｂ、５ａｂ）との間を中継し、前記取っ手（５ｃ）を下方に押し下げるときに、前記上部金属棒（６ａ、６ａ）の上方への移動を可能にし、および、前記取っ手（５ｃ）を上方へ引き上げるときに、前記上部金属棒（６ａ、６ａ）の下方への移動を可能にするか、いずれか一方を可能にする中継機構（７）と、を備えることを特徴とする中柱固定装置（１）。
【請求項２】
前記第１の上部機構（５ｄ）は、前記取っ手（５ｃ）の上下方向への移動を摺動可能にガイドするガイド孔（５ｄａ）を備え、
さらに、第１の下部機構（５ｅ）は、前記下部金属棒（５ａ、５ａ）の上下方向への移動を摺動可能にガイドするガイド孔（５ｅａ）を備え、
前記第１の下部機構（５ｅ）の下方に設けられ、前記左右２本の下部金属棒（５ａ，５ａ）の間隔を調節可能な第１のアジャスト機構（５ｇ）を備え、
前記第２の上部機構（６ｅ）は、前記上部金属棒（６ａ）の上下方向への移動を摺動可能にガイドするガイド孔（６ｅａ）を備え、前記第２の上部機構（６ｅ）の上方に設けられ、前記上部突出部（６ｂ、６ｂ）の前記左右２本の上部金属棒（６ａ、６ａ）の間隔を調節可能な第２のアジャスト機構（６ｇ）を備え、
さらに、前記中継機構（７）は、前記上部固定機構（６）の下端（６ａｂ）と、前記下部固定機構（５）の上端（５ａｂ）との間を中継し、前記上部金属棒（６ａ）と前記下部金属棒（５ａ）の上下方向への移動を可能にするガイド孔（７ｅａ）を備えることを特徴とする請求項１に記載の中柱固定装置（１）。
【発明の詳細な説明】
【技術分野】
【０００１】
本発明は、建屋などの開口部に設けられるシャッターの中柱を固定する中柱固定装置に関し、特に、低コストで既存のシャッターの機能を簡単に強化でき、耐風力・防犯力・操作性・耐久力を備えた中柱固定装置に関する。
【背景技術】
【０００２】
以下、背景技術について説明する。図７は、従来の実施形態に係る中柱固定装置の概略図である。図７に示すように、施錠機構Ｌが、ロッド１０４ｂの周面に突設されたピン１１１と、このピン１１１によって上方から圧されると引っ込み、落とし杆１０４が係合孔１０３内に完全に落とし込まれてピン１１１の力が除かれると再びラッチボルト１１３が飛び出すスプリングキャッチ１１２とから構成され、ラッチボルト１１３には、錠ケース１０６の外に突出する解錠操作子１１４が突設されている。ピン１１１は、スプリング１０７を弾縮させるためにロッド１０４ｂに突設されたピン１１５と同じ高さに突設され、解錠状態においては、これらピン１１１及び１１５がスプリング１０７の弾性により錠ケース１０６内の上面に圧し当てられて、落とし杆１０４が錠ケース１０６内から抜け出すのを防止するストッパとして作用している。スプリングキャッチ１１２は、ロッド１０４ａ、１０４ｂ間に位置して錠ケース１０６の内壁に固設された一対のブラケット１１６、１１６に左右摺動可能に支持されたラッチボルト１１３と、当該ラッチボルト１１３の先端部をロッド１０４ｂと直交する位置に進出させるように付勢するスプリング１１７とから構成されている。ラッチボルト１１３の先端部には、上方から下方に向かって作用する垂直方向の力を水平方向の力に変換する傾斜面１１８が形成されている。また、解錠操作子１１４は、ラッチボルト１１３の周面から突設され、錠ケース１０６の壁面を貫通して錠ケース１０６の正面側に突出している。なお、錠ケース１０６の壁面には、解錠操作子１１４を左右にスライドさせる長孔が穿設されている。また、錠ケース１０６の裏面側には、中柱の下端に嵌着されるアングルが一体的に形成されている。
【０００３】
まず、錠ケース１０６のアングル内に中柱の下端を嵌め込んで、装置全体を中柱に取り付ける。この状態で、中柱を床の上に立設すると共に、落とし杆１０４を押し下げて左右のロッド１０４ａ、１０４ｂを受け座の係合孔内に落とし込む。これにより、ロッド１０４ｂに突設されたピン１１１が、ラッチボルト１１３の先端部に形成された傾斜面１１８に上方から係合して、ラッチボルト１１３をスプリング１１７の弾性に抗して後退させる。そして、ラッチボルト１１３がピン１１１から完全に離反するように引っ込むと、ピン１１１がラッチボルト１１３の先端部を通過して更に下降すると同時に、ラッチボルト１１３に作用していたピン１１１の力が解除されて、ラッチボルト１１３がスプリング１１７の弾発力によって勢い良く飛び出し、その際に「カチャ」という非常に大きくて明確な施錠音を発する。これにより、落とし杆１０４が完全に押し下げられて施錠状態となったか否かを容易に確認できる。すなわち、落とし杆１０４を力一杯押し下げても施錠音が生じなかった時には、受け座の係合孔内にゴミやホコリが溜まっていて完全な施錠状態が得られていないことを感覚的に確実に察知できるから、施錠不良によって中柱が外れる事故を未然に防止することができる。そして、施錠状態を解除する場合には、ラッチボルト１１３に突設された解錠操作子１１４により、ラッチボルト１１３をピン１１１から離反する水平方向にスライドさせるだけで、落とし杆１０４全体がスプリング１０７の弾性によって解錠方向ｆに持ち上げられる。このように構成された施錠機構Ｌは、落とし杆１０４のロッド１０４ｂに突設されたピン１１１と、ラッチボルト１１３に解錠操作子１１４を突設したスプリングキャッチ１１２とから成る極めて簡易なものである（特許文献１参照）。
【先行技術文献】
【特許文献】
【０００４】
【特許文献１】実公平６−１６０９２号公報
【発明の概要】
【発明が解決しようとする課題】
【０００５】
以前、３０数年前のことになるが、九州を襲った最悪のコースの台風が通過したあと、目にしたものはその威力のであった。シャッターに看板が当たり、Ｈ鋼でできた中柱が飴のように曲がっていた。この長さ３〜４ｍのシャッター中柱には補強材も付いていたが、その曲がったのを見て、こんなに曲がるものかと風の力の凄さに衝撃を受けたことがあった。
従来、中柱の上部に嵌合して固定するガイド口の深さは１８〜２５ｍｍであり、脱着し易くしているとは言え、落とし杆による中柱の下部の固定だけでは十分ではなく、上部も固定する必要があると思わされた。このように風の力で中柱が湾曲し、中柱上端がガイド口から外れてしまうことがあった。
【０００６】
本願発明は、前記課題を解決するために創案されたものであり、台風や竜巻などの強風や、暴動・泥棒などによる破壊などの外圧からシャッターの損壊や変形を防御し、低コストで既存のシャッターの機能を簡単に強化でき、耐風力・防犯力・操作性・耐久力を備えた中柱固定装置を提供することを目的とする。
【課題を解決するための手段】
【０００７】
請求項１に記載の発明の中柱固定装置は、複数のスラット２を上下に連結して形成されたシャッター面３を少なくとも左右２面備え、前記左右２面のシャッター面３、３間に地面に対して垂直に設けられた中柱４の内側面４ａに沿設された下部固定機構５、上部固定機構６、および中継機構７を備えた中柱固定装置１であって、前記下部固定機構５は、前記中柱４の内側面４ａに沿設された左右２本の直線状の下部金属棒５ａ、５ａと、この下部金属棒５ａ、５ａの上部５ａａ、５ａａを繋いで形成され、高さ４００〜１０００ｍｍの位置に設けられた取っ手５ｃと、前記取っ手５ｃの上下方向への移動を摺動可能にガイドすると共に、前記取っ手５ｃの上方への移動を阻止するロック機構５ｄｂを有する第１の上部機構５ｄと、前記左右２本の下部金属棒５ａ、５ａの下端にそれぞれ形成された下部突出部５ｂ、５ｂと、前記下部突出部５ｂ、５ｂを挿入可能に形成された係合穴５ｊａを有する嵌合機構５ｊと、さらに、前記下部突出部５ｂ、５ｂの上下方向への移動を摺動可能にガイドする第１の下部機構５ｅとを備え、前記上部固定機構６は、前記中柱４の内側面４ａに沿設された左右２本の直線状の上部金属棒６ａ、６ａと、この上部金属棒６ａ、６ａの上端に設けられた上部突出部６ｂ、６ｂと、前記上部突出部６ｂ、６ｂの上下方向への移動を摺動可能にガイドする第２の上部機構６ｅと、前記上部突出部６ｂ、６ｂを挿入可能に形成された係合穴６ｊａを有する嵌合機構６ｊとを備え、さらに、前記上部固定機構６の下端６ａｂ、６ａｂと前記下部固定機構５の上端５ａｂ、５ａｂとの間を中継し、前記取っ手５ｃを下方に押し下げるときに、前記上部金属棒６ａ、６ａの上方への移動を可能にし、および、前記取っ手５ｃを上方へ引き上げるときに、前記上部金属棒６ａ、６ａの下方への移動を可能にするか、いずれか一方を可能にする中継機構７と、を備えることを特徴とする。
【０００８】
請求項２に記載の発明は、請求項１に記載の中柱固定装置であって、前記第１の上部機構５ｄは、前記取っ手５ｃの上下方向への移動を摺動可能にガイドするガイド孔５ｄａを備え、さらに、第１の下部機構５ｅは、前記下部金属棒５ａ、５ａの上下方向への移動を摺動可能にガイドするガイド孔５ｅａを備え、前記第１の下部機構５ｅの下方に設けられ、前記左右２本の下部金属棒５ａ，５ａの間隔を調節可能な第１のアジャスト機構５ｇを備え、前記第２の上部機構６ｅは、前記上部金属棒６ａの上下方向への移動を摺動可能にガイドするガイド孔６ｅａを備え、前記第２の上部機構６ｅの上方に設けられ、前記上部突出部６ｂ、６ｂの前記左右２本の上部金属棒６ａ、６ａの間隔を調節可能な第２のアジャスト機構６ｇを備え、さらに、前記中継機構７は、前記上部固定機構６の下端６ａｂ、６ａｂと、前記下部固定機構５の上端５ａｂ、５ａｂとの間を中継し、前記上部金属棒６ａ、６ａと前記下部金属棒５ａ、５ａの上下方向への移動を可能にするガイド孔７ｅａを備えることを特徴とする。
【発明の効果】
【０００９】
請求項１に係る発明によれば、中柱固定装置は、下部固定機構、上部固定機構、および上部固定機構と下部固定機構を中継し、下部突出部および上部突出部の上下方向への移動を可能にする中継機構とを備え、取っ手を地面から高さ４００〜１０００ｍｍの位置に来るようにして、その下方にガイドおよびロック機構とを備えたことによって、自動ロック機構によって中柱固定装置の設置・挿着・施錠状態を確実に確認できると共に、操作用の取っ手の位置を腰の高さにしてあるため、持ち運びおよび操作性を向上させ、さらに、台風や竜巻などの強風や、暴動・泥棒などによる破壊などの外圧から中柱の外れを防ぎ、シャッターの損壊や変形を防御することができる。また、ロックすることで下部突出部および上部突出部のせり上がりなどを防ぐと共に、振動等によるガタを発生させることも無く、耐風力を大幅に高めることができた。
【００１０】
請求項２に係る発明によれば、中柱固定装置は、下部固定機構、上部固定機構、および中継機構とを備え、操作用の取っ手を地面から高さ４００〜１０００ｍｍの腰の位置に来るようにして、その下方にガイドおよびロック機構と、左右２本の金属棒の間隔を調節可能なアジャスト機構を備えたことによって、自動ロック機構によって中柱固定装置の設置・挿着・施錠状態を確実に確認できると共に、アジャスト機構を備えているため変形等の経年変化にも対応可能な耐久性を向上させた操作らくらく安心構造の中柱固定装置を提供できる。
【図面の簡単な説明】
【００１１】
【図１】本発明の第１の実施形態に係る中柱固定装置を備えたシャッターの概略図である。
【図２】本発明の第１の実施形態に係る中柱固定装置の概略図であり、（ａ）は正面図、（ｂ）は側面図である。
【図３】本発明の第１の実施形態に係る中柱固定装置の上部固定機構の概略図であり、（ａ）は正面図、（ｂ）は側面図である。
【図４】本発明の第１の実施形態に係る中柱固定装置の中継機構の概略図であり、（ａ）は正面図、（ｂ）は（ａ）に示すＡ方向の断面図、（ｃ）は第２の実施形態に係る中継機構の概略正面図である。
【図５】本発明の第１の実施形態に係る中柱固定装置の下部固定機構の概略を示し、（ａ）は平面図、（ｂ）は側面図である。
【図６】本発明の第１の実施形態に係る中柱固定装置の下部固定機構の概略を示し、（ａ）は正面図、（ｂ）は側面図である。
【図７】従来の実施形態に係る中柱固定装置を示す概略図である。
【発明を実施するための形態】
【００１２】
＜第１の実施形態＞
以下、本発明の第１の実施形態を図面を参照しながら詳細に説明する。
図１は、本発明の第１の実施形態に係る中柱固定装置を備えたシャッターの概略図であり、図２は、本発明の第１の実施形態に係る中柱固定装置の概略図であり、（ａ）は正面図、（ｂ）は側面図であり、および、図３は、本発明の第１の実施形態に係る中柱固定装置の上部固定機構の概略図であり、（ａ）は正面図、（ｂ）は側面図である。
図１、図２、および図３に示すように、中柱固定装置１は、複数のスラット２を上下に連結して形成されたシャッター面３を少なくとも左右２面３、３備え、左右２面のシャッター面３、３間に地面に対して垂直に設けられた中柱４の内側面（室内側）４ａに沿設された下部固定機構５、上部固定機構６、および中継機構７を備えている。
下部固定機構５は、中柱４の内側面４ａに沿設された左右２本の直線状の下部金属棒５ａ、５ａと、この下部金属棒５ａ、５ａの上部５ａａ、５ａａを繋いで形成され、高さ４００〜１０００ｍｍの位置に設けられた取っ手５ｃと、取っ手５ｃの上下方向への移動を摺動可能にガイドすると共に、取っ手５ｃの上方への移動を阻止するロック機構５ｄｂを有すると共に、取っ手５ｃの上下方向への移動を摺動可能にガイドするガイド孔５ｄａを備えた第１の上部機構５ｄと、左右２本の下部金属棒５ａ、５ａの下端にそれぞれ形成された下部突出部５ｂ、５ｂと、これらの下部突出部５ｂ、５ｂを挿入可能に形成された係合穴５ｊａを有する嵌合機構５ｊと、さらに、下部突出部５ｂ、５ｂの上下方向への移動を摺動可能にガイドするガイド孔５ｅａ、５ｅａ、５ｅａ、５ｅａを備えた第１の下部機構５ｅとを備えている。
【００１３】
また、第１の上部機構５ｄの下方には、左右２本の下部金属棒５ａ、５ａの間隔を調節可能な第３のアジャスト機構５ｈが設けられている。
さらに、第１の下部機構５ｅの下方に、左右２本の下部金属棒５ａ，５ａの間隔を調節可能な第１のアジャスト機構５ｇが設けられている。
また、上部固定機構６は、中柱４の内側面４ａに沿設された左右２本の直線状の上部金属棒６ａ、６ａと、この上部金属棒６ａ、６ａの上端に設けられた上部突出部６ｂ、６ｂと、これらの上部突出部６ｂ、６ｂの上下方向への移動を摺動可能にガイドするガイド孔６ｅａ、６ｅａ、６ｅａ、６ｅａを備えた第２の上部機構６ｅと、左右２本の上部金属棒６ａ、６ａの上端にそれぞれ形成された上部突出部６ｂ、６ｂと、これら上部突出部６ｂ、６ｂを挿入可能に形成された係合穴６ｊａを有する嵌合機構６ｊとを備え、さらに、上部固定機構６の下端にあって、上部突出部６ｂ、６ｂの上下方向への移動を可能にすると共にガイド孔７ｅａ、７ｅａ、７ｅａ、７ｅａを有する中継機構７と、第２の上部機構６ｅの上方に設けられ、上部突出部６ｂ、６ｂの左右２本の上部金属棒６ａ、６ａの間隔を調節可能な第２のアジャスト機構６ｇとを備えている。
上部金属棒６ａおよび下部金属棒５ａを移動可能に補強する上部補強部６ｆおよび下部補強部５ｆが中柱４に溶接またはねじで固定されているため、中柱４自体の強度を向上させている。
また、下部固定機構５と上部固定機構６に設けられた下部突出部５ｂおよび上部突出部６ｂは落とし桿８と突き上げ桿９を用いているが、下部突出部５ｂおよび上部突出部６ｂはそれぞれ落とし桿８と突き上げ桿９と一体的に接合されている。下部金属棒５ａの下端の下部突出部５ｂは落とし桿８の下端でもある。また上部金属棒６ａの上端の上部突出部は突き上げ桿９の上端でもある。
【００１４】
図４は、本発明の第１の実施形態に係る中柱固定装置の中継機構の概略図であり、（ａ）は正面図、（ｂ）は（ａ）に示すＣ方向の断面図、（ｃ）は第２の実施形態に係る中継機構の概略正面図であり、図５は、本発明の第１の実施形態に係る中柱固定装置の下部固定機構の概略を示し、（ａ）は図１に示すＡ部の拡大正面図、（ｂ）は側面図であり、図６は、本発明の第１の実施形態に係る中柱固定装置の下部固定機構の概略を示し、（ａ）は図１に示すＢ部の拡大正面図、（ｂ）は側面図である。
図４に示すように、中継機構７には、第１のリンク板７ａと、第２のリンク板７ｂが重ねられて設けられ、それぞれのほぼ真ん中の位置を中心軸７ｃで回動自在に位置決めされている。また、第１のリンク板７ａにはその両端部に係止孔７ａａ、７ａａが設けられている。また、第２のリンク板７ｂにはその両端部に係止孔７ｂａ、７ｂａが設けられている。また、中継機構７の内部では、下部金属棒５ａ、５ａの上端５ａｂに係止ピン５ａｂａ、５ａｂａが設けられ、上部金属棒６ａ、６ａの下端６ａｂに係止ピン６ａｂａ、６ａｂａが設けられている。
係止ピン５ａｂａ、５ａｂａのうち、一方の係止ピン５ａｂａが第１のリンク板７ａの係止孔７ａａに摺動自在に係合され、他方の係止ピン５ａｂａが第２のリンク板７ｂの係止孔７ｂａに摺動自在に係合されている。これら２本の係止ピン５ａｂａ、５ａｂａはそれぞれ第１のリンク板７ａ、第２のリンク板７ｂの重なり合った位置に適合するように、それぞれの突出長さを設定している。
また、係止ピン６ａｂａ、６ａｂａのうち、一方の係止ピン６ａｂａが第１のリンク板７ａの係止孔７ａａに摺動自在に係合され、他方の係止ピン６ａｂａが第２のリンク板７ｂの係止孔７ｂａに摺動自在に係合されている。これら２本の係止ピン６ａｂａ、６ａｂａはそれぞれ第１のリンク板７ａ、第２のリンク板７ｂの重なり合った位置に適合するように、それぞれの突出長さを設定している。
また、第１の上部機構５ｄには、ロック機構５ｄｂがねじ止めまたは溶接で第１の上部機構５ｄの上部に固定している。ロック機構５ｄｂは、ロック穴５ｄｂａ、ロックピン５ｄｂｂ、ロックつまみ５ｄｂｃ、ロックスライド枠５ｄｂｄを備えている。そして、ロック穴５ｄｂａは、一方の下部金属棒５ａの内側に切り込まれていて、これにロックピン５ｄｂｂを抜き差しすることで、取っ手５ｃの上下移動を可能および不可能に制御する。ロックピン５ｄｂｂにはロックつまみ５ｄｂｃが取り付けられていて、このロックつまみ５ｄｂｃを手動で左右に移動させている。ロックつまみ５ｄｂｃはロックスライド枠５ｄｂｄから突出させるように設けられている。
なお、第２の上部機構６ｅ、上部補強部６ｆ、中継機構７、第１の上部機構５ｄ、下部補強部５ｆ、および、第１の下部機構５ｅは、中柱４に内側面４ａにねじ止め（図略）、または、溶接（図略）で固定されている。
【００１５】
次に、第１の実施形態に係る中柱固定装置の動作を説明する。
中継機構７は、下部固定機構５に設けられた下部突出部５ｂと、上部固定機構６に設けられた上部突出部６ｂとの動作を連動させるもので、取っ手５ｃが押し下げられると、下部金属棒５ａが下降すると同時に、上部金属棒６ａが上昇する。このとき、下部突出部５ｂが係合穴５ｊａに嵌合すると同時に、上部突出部６ｂが係合穴６ｊａに嵌合する。
図５および図６に示すように、下部突出部５ｂ、５ｂおよび上部突出部６ｂ、６ｂが上下の係合穴５ｊａ、６ｊａに勘合したときに、手動のスライド式のロック機構５ｄｂをロックすることによって、中柱４の上端および下端がしっかりとシャッター枠（図略）に固定されて、さらに下部突出部５ｂおよび上部突出部６ｂがシャッター枠に埋設された嵌合機構内に上下動することなく係合されて、さらに上下動を阻止するロックが掛かっているため、容易に外れることはない。
また逆に、取っ手５ｃが引き上げられると、下部金属棒５ａが上昇すると同時に、上部金属棒６ａが下降する。このとき、下部突出部５ｂが係合穴５ｊａから抜けると同時に、上部突出部６ｂが係合穴６ｊａから抜けることで、中柱４は容易に取り外すことができ、このときさらに、中柱４に設けられた取っ手５ｃを持って安定的、所定の場所に移動させることができる。
【００１６】
また、図１に示すように、中柱固定装置１は、複数のスラット２、２…を上下に連結して形成されたシャッター面３を少なくとも左右２面備えて形成され、シャッター面３とシャッター面３との間に地面（床面）方向から垂直に設けられた中柱４の内側面４ａに沿設されている。中柱４は、シャッター面３を収納するシャッターケース１０と地面Ｇとの間に設けられ、建物の開口部（図略）を開放した状態で邪魔にならないように、取り外しが可能となっている。
【００１７】
中柱４を取り付ける場合、中柱４の上端をシャッターケース１０に差し込み、その後、中柱の下端を凹状の係合穴５ｊａに落とし込んでいる。この中柱４には、落とし杆８が内側面に沿設され、落とし杆８が床面Ｇに設けられた係合穴５ｊａに嵌脱可能となっている。
このとき落とし桿８が床面である地面Ｇから外れないようにするため、中柱４に中柱固定装置１が設けられており、床面側に形成した係合穴５ｊａに嵌入して固定している。落とし杆８は、中柱４の内側面に沿設された左右２本の直線状の下部金属棒５ａ、５ａと、この下部金属棒５ａ、５ａの上部を繋いで形成された取っ手５ｃとを備え、高さ４００〜１０００ｍｍの長さを有している。なお、床から取っ手５ｃまでの高さが５００ｍｍ程度以上は通常操作では必要だと思える。これは、操作者の背丈や体形によるところがある。
【００１８】
取っ手５ｃの下方には、下部突出部５ｂの上下方向への移動を摺動可能にガイドするガイド孔５ｄａと、さらに、下部突出部５ｂの上方への移動をロックするロック機構５ｄｂとを備えた第１の上部機構５ｄを設けている。この第１の上部機構５ｄの下方には、下部突出部５ｂの左右２本の下部金属棒５ａ、５ａの間隔を調節可能な第３のアジャスト機構５ｈを設けている。
また、この下方には、下部突出部５ｂの上下方向の移動を摺動可能にガイドするガイド孔５ｅａを備えた第１の下部機構５ｅを備えている。この第１の下部機構５ｅの下方には、左右２本の下部金属棒５ａ、５ａの間隔を調節可能な第１のアジャスト機構５ｇを設けている。
また、下部突出部５ｂ、５ｂを挿入可能に形成された係合穴５ｊａを有する嵌合機構５ｊを床面Ｇに埋設して設けている。そして、一方のシャッター面３は、内壁部１４を有するシャッター内側から見て左側の内壁左側支柱１４ａと中柱４とで上下に摺動可能にガイドされている。また、他方のシャッター面３は、中柱４と内壁右側支柱１４ｂでガイドされている。シャッター面３の揚げ下げは手動でも自動でも可能なようになっており、シャッター面３の下端には指用穴１５が設けられている。
【００１９】
中柱４は人が手で運んで取り付けるため軽量材で形成されており、凹みや変形が生じ易い。そのため左右２本の金属棒５ａ、５ａ間の並行性は経年変化や取扱い時の損傷などにより変化して、どうしてもその間隔にばらつきが発生する可能性があった。それぞれのアジャスト機構によって左右２本の下部金属棒５ａ、５ａ間および上部金属棒６ａ、６ａ間の並行性を修正することができる。
例えば、第３のアジャスト機構５ｈは、ネジ付ロッド５ｈｂ、５ｈｂが左右２本の金属棒５ａ、５ａにそれぞれ溶接されて設けられている。これらのネジ付ロッド５ｈｂ、５ｈｂの間にナットとして機能する長さ調節ハンドル５ｈａが螺着されている。この長さ調節ハンドル５ｈａには、この両端にそれぞれ正逆ネジが設けられており、ネジ付ロッド５ｈｂ、５ｈｂに備えられているネジとの間で、片方が逆ネジになっているので、左右２本の金属棒５ａ、５ａ間が伸縮できる。このようなアジャスト機構を備えることによって、経年変化にも対応可能な耐久性を向上させたシャッター中柱固定装置を提供することができる。第１のアジャスト機構５ｇ、第２のアジャスト機構６ｇも同様に構成されている。
このように、ロック機構によって中柱固定装置の設置・挿着・施錠状態を確実に確認できると共に、取っ手の位置が高くしてあるため、持ち運びおよび操作性を向上させ、台風や竜巻などの強風や、暴動・泥棒などによる破壊などの外圧からシャッターの損壊や変形を防御することができる。また、アジャスト機構を備えているため変形等の経年変化にも対応可能な耐久性を向上させた操作らくらく安心構造の中柱固定装置を提供できる。
【００２０】
＜第２の実施形態＞
次に、本発明の第２の実施形態を図面を参照しながら詳細に説明する。
第２の実施形態と第１の実施形態の異なる点は、第１の実施形態では、中継機構にリンク板を用いているが、第２の実施形態では、バネとストッパを設けている点である。
なお、第１の実施形態と同様の構成については同符号を付し、その説明を省略する。
図４の（ｃ）に示すように、中継機構１７は、下部固定機構５の下部金属棒５ａ、５ａの上端にストッパ１７ｂ、１７ｂが固定され、さらに、上部固定機構６の上部金属棒６ａ、６ａの下端にストッパ１７ｂ、１７ｂが固定され、金属棒６ａにコイルバネ１７ａを挿通させて、上下両側のストッパ１７ｂで移動を阻止することで、突出部５ｂ、６ｂはそれぞれの係止穴５ｊａ、６ｊａに対して常に付勢されている。
これによって、中継機構１７は、下部固定機構５に設けられた下部突出部５ｂと、上部固定機構６に設けられた上部突出部６ｂを常に中柱４を固定される方向へ付勢されているが、取っ手５ｃを引き上げる方向へ移動させると、下部突出部５ｂおよび上部突出部６ｂも共に中柱固定装置１内に引っ込むため中柱４の取り外しが可能となる。
取っ手５ｃが押し下げられる方向へ移動すると、下部金属棒５ａが下降すると同時に、上部金属棒６ａが上昇する。このとき、下部突出部５ｂが係合穴５ｊａに嵌合すると同時に、上部突出部６ｂが係合穴６ｊａに嵌合する。
図５および図６に示すように、下部突出部５ｂ、５ｂおよび上部突出部６ｂ、６ｂが上下の係合穴５ｊａ、６ｊａに勘合したときに、手動のスライド式のロック機構５ｄｂをロックすることによって、中柱４の上端および下端がしっかりとシャッター枠（図略）に固定されて、さらに下部突出部５ｂおよび上部突出部６ｂがシャッター枠に埋設された嵌合機構内に上下動することなく係合されて、さらに上下動を阻止するロックが掛かっているため、容易に外れることはない。
また逆に、取っ手５ｃをバネ１７ａの力に逆らって引き上げると、下部金属棒５ａが上昇すると同時に、上部金属棒６ａが下降する。このとき、下部突出部５ｂが係合穴５ｊａから抜けると同時に、上部突出部６ｂが係合穴６ｊａから抜けることで、中柱４は容易に取り外すことができ、このときさらに、中柱４に設けられた取っ手５ｃを持って安定的、所定の場所に移動させることができる。
【００２１】
以上、好ましい実施の形態を説明したが、本発明は前記実施の形態に限定されるものではなく、本発明の要旨を逸脱することの無い範囲内において適宜変更が可能なものである。例えば、下部アジャスト機構は下部機構部の下方に設け、上部アジャスト機構は上部機構部の上部に設けているとして説明したが、スペース次第で上方か下方かはどちらでも構わない。さらに多くのアジャスト機構を設けても構わないし、これに限定するものではなく適宜設定可能である。また、上部金属棒および下部金属棒を移動可能に補強する上部補強部および下部補強部の個数は適宜、増減して設定しても構わない。
【産業上の利用可能性】
【００２２】
本発明は、シャッター中柱の挿着・施錠状態を確実に確認でき、持ち運びおよび操作性を向上させると共に、一般家屋・郊外型店舗・農業倉庫の軽量手動式シャッターの耐風力・防犯力・操作性・耐久力を向上させたシャッターの中柱固定装置に適用できる。
【符号の説明】
【００２３】
１  中柱固定装置
２  スラット
３  シャッター面
４  中柱
４ａ  内側面（室内側）
５  下部固定機構
５ａ  下部金属棒
５ａａ  下部金属棒の上部
５ａｂ  下部金属棒の上端
５ａｂａ  係止ピン
５ｂ  下部突出部
５ｃ  取っ手
５ｄ  第１の上部機構
５ｄａ  ガイド孔
５ｄｂ  ロック機構
５ｄｂａ  ロック穴
５ｄｂｂ  ロックピン
５ｄｂｃ  ロックつまみ
５ｄｂｄ  ロックスライド
５ｅ  第１の下部機構
５ｅａ  ガイド孔
５ｆ  下部補強部
５ｇ  第１のアジャスト機構
５ｈ  第３のアジャスト機構
５ｈａ  長さ調節ハンドル
５ｈｂ  ネジ付きロッド
５ｊ  嵌合機構
５ｊａ  係止穴
６  上部固定機構
６a  上部金属棒
６ａｂ  上部金属棒の下端
６ａｂａ係止ピン
６ｂ  上部突出部
６ｅ  第２の上部機構
６ｅａ  ガイド孔
６ｆ  上部補強部
６ｇ  第２のアジャスト機構
６ｊ  嵌合機構
６ｊａ  係止穴
７、１７  中継機構
７ａ  第１のリンク板
７ａａ  係止孔
７ｂ  第２のリンク板
７ｂａ  係止孔
７ｃ  中心軸
７ｄ  基板
７ｅ、１７ｅ  ガイド孔
７ｆ  中継機構ケース
８  落とし桿、Ｗ落とし
９  突き上げ桿
１０  シャッターケース
１４  内壁部
１４ａ  内壁左側支柱
１４ｂ  内壁右側支柱
１５  指用穴
１７ａ  バネ
１７ｂ  ストッパ
【図１】
2019082008.tif 000003
【図２】
2019082008.tif 000004
【図３】
2019082008.tif 000005
【図４】
2019082008.tif 000006
【図５】
2019082008.tif 000007
【図６】
2019082008.tif 000008
【図７】
2019082008.tif 000009